(57)【特許請求の範囲】
【請求項１】
配管設置空間を形成する壁の一部から延出する吊りボルトに固定される吊下部と、該吊下部に固定され、配管を保持する帯状のバンド部とによって少なくとも構成される配管吊りバンド機構において、
前記吊下部は、前記吊りボルトにナットによって固定される水平固定片と、該水平固定片の一端から垂直に延出する垂直部と、該垂直部から略水平に延出し、前記バンド部が固定されるバンド固定部とによって構成されること、
前記バンド部は、前記バンド固定部に固定された箇所から所定の長さ一方の側に延出する第１の延出部と、前記固定された箇所から他方の側に延出し、前記配管の周囲に囲設されて前記配管を保持する第２の延出部とによって構成され、前記第１の延出部には大径頭部と小径円筒部からなる突出固定部が設けられ、前記第２の延出部の前記突出固定部に対応する箇所には、前記突出固定部の大径頭部が貫通する大きさの貫通孔と、該貫通孔から延出する傾斜溝部及び該傾斜溝部から前記バンド部の延出方向に垂直に曲がる水平溝部からなり前記小径円筒部が通過する幅を有する装着溝部が形成され、前記突出固定部及び前記装着溝部とによってバンド固定機構が形成されることを特徴とする配管吊りバンド機構。
【請求項２】
前記バンド部の第２の延出部の端部は、前記吊下部の垂直部に対応するように屈曲されること、前記垂直部には、前記第２の延出部の端部を保持する突出部が設けられること、且つ、前記垂直部と前記第２の延出部の端部が、スライド環によって固定保持されることを特徴とする請求項１記載の配管吊りバンド機構。
【請求項３】
前記バンド部の第２の延出部の端部は、前記吊下部の垂直部に対応するように屈曲されると共に第２の延出部の端部にはバンド側切り込み溝が形成されること、前記垂直部には、前記バンド側切り込み溝に噛合して固定する突起部が形成されること、前記垂直部と前記第２の延出部の端部を保持するスライド環が設けられ、該スライド環には前記突起部が噛合する環側切り込み溝が形成されること、前記第２の延出部の端部の切り込み溝が前記突起部に噛合した状態で、前記スライド環の環側切り込み溝が前記突起部に噛合するようにスライド環を移動させて、前記垂直部と前記第２の延出部の端部を固定保持することを特徴とする請求項１記載の配管吊りバンド機構。
【発明の詳細な説明】
【技術分野】
【０００１】
本願発明は、天井スラブから延出する吊りボルトに配管パイプを吊り下げ固定するための配管吊りバンド機構に関する。
【背景技術】
【０００２】
特許文献１（特開２０００−９７３７４号公報）は、ボルトナットを使用することなく配管を行える配管吊りバンドを改良したもので、配管吊りバンドに吊り持ち部を一体に形成すると共に一方の湾曲バンド片の立ち上がり片の先端から下向き傾斜の係止舌片を突出して、その幅狭の連結頸部と先端側の係止孔を、吊り持ち部の垂下片に形成した舌片受入孔の係止段部と係止突部に弾性的に係止するようにし、湾曲バンド片を閉めることによって配管パイプの支持を可能とすることを開示する。
【０００３】
特許文献２（特開２００２−３６４７８１号公報）は、スラブに吊り下げられた吊りボルトの可鍛に装着された配管を吊り下げる配管吊り具であり、状部が吊りボルトに支持されると共に、下部に貫通孔を有するバックルと、前記配管の外周に巻き付けられて、前記貫通孔に通された一方側が他方側に結合されて閉鎖状ループを形成する可撓性帯材とを備える配管吊り具を提供する。
【０００４】
特許文献３（特開２００７−１９２３４５号公報）は、不安定になりがちな脚立上での作業数が少なくてすむ配管吊り金物を提供することを目的としたもので、この配管吊り金物は、吊りボルト螺装用ナットが縦軸芯まわりで回転自在に保持された上板部と、その両端から下方に折曲連設された一対の支持片とを備えたターンバックルと、ダクト等の配管を抱持する吊りバンドと、吊りバンドの両端に形成された立ち上がり片をターンバックルの前記支持片に締め付け固定するボルト・ナットとからなり、前記支持片に形成されるボルト支持部を上向きのフック上に形成したことを特徴とするものである。
【先行技術文献】
【特許文献】
【０００５】
【特許文献１】特開２０００−９７３７４号公報
【特許文献２】特開２００２−３６４７８１号公報
【特許文献３】特開２００７−１９２３４５号公報
【発明の概要】
【発明が解決しようとする課題】
【０００６】
従来、建物内に設置される配管は、天井裏や床下、さらには壁面内の狭小空間内に配置されるものであり、また正確に配管を保持固定する必要があるため、配管の保持固定作業は非常に困難な状況で行われるという課題があった。
【０００７】
このため、作業性を向上させるために、上述したような特許文献に開示された発明がなされたが、最終的に配管を保持するバンド片をボルトとナットで固定するものであり、狭小空間内に両手を入れて作業するのが非常に困難であるという問題点をもっていた。
【０００８】
このため、本願発明は、狭小空間においても配管の保持固定作業を容易に行うことのできる配管吊りバンド機構を提供することにある。
【課題を解決するための手段】
【０００９】
したがって、この発明は、配管設置空間を形成する壁の一部から延出する吊りボルトに固定される吊下部と、該吊下部に固定され、配管を保持する帯状のバンド部とによって少なくとも構成される配管吊りバンド機構において、前記吊下部は、前記吊りボルトにナットによって固定される水平固定片と、該水平固定片の一端から垂直に延出する垂直部と、該垂直部から略水平に延出し、前記バンド部が固定されるバンド固定部とによって構成されること、前記バンド部は、前記バンド固定部に固定された箇所から所定の長さ一方の側に延出する第１の延出部と、前記固定された箇所から他方の側に延出し、前記配管の周囲に囲設されて前記配管を保持する第２の延出部とによって構成され、前記第１の延出部には大径頭部と小径円筒部からなる突出固定部が設けられ、前記第２の延出部の前記突出固定部に対応する箇所には、前記突出固定部の大径頭部が貫通する大きさの貫通孔と、該貫通孔から延出する傾斜溝部及び該傾斜溝部から前記バンド部の延出方向に垂直に曲がる水平溝部からなり前記小径円筒部が通過する幅を有する装着溝部が形成され、前記突出固定部及び前記装着溝部とによってバンド固定機構が形成されることにある。
【００１０】
これによって、バンド部の自由端である第２の延出部によって、配管を保持した後、第２の延出部の装着溝部の貫通孔に、前記第１の延出部の突出固定部の大径頭部を貫通させて突出固定部の小径円筒部を、前記装着溝部の前記傾斜溝部から前記水平溝部に移動させて、前記突出固定部を前記水平溝部に固定保持させるので、配管を容易に仮止め固定できるものである。
【００１１】
また、前記バンド部の第２の延出部の端部は、前記吊下部の垂直部に対応するように屈曲されること、前記垂直部には、前記第２の延出部の端部を保持する突出部が設けられること、且つ、前記垂直部と前記第２の延出部の端部が、スライド環によって固定保持されることが望ましい。
【００１２】
これによって、第２の延出部の端部を前記垂直部にスライド環によって確実に固定できるため、上述した固定方法に加えてバンド部をより確実に固定できるため、配管を容易に確実に固定できるものである。
【００１３】
前記バンド部の第２の延出部の端部は、前記吊下部の垂直部に対応するように屈曲されると共に第２の延出部の端部にはバンド側切り込み溝が形成されること、前記垂直部には、前記バンド側切り込み溝に噛合して固定する突起部が形成されること、前記垂直部と前記第２の延出部の端部を保持するスライド環が設けられ、該スライド環には前記突起部が噛合する環側切り込み溝が形成されること、前記第２の延出部の端部の切り込み溝が前記突起部に噛合した状態で、前記スライド環の環側切り込み溝が前記突起部に噛合するようにスライド環を移動させて、前記垂直部と前記第２の延出部の端部を固定保持することが望ましい。
【００１４】
これによって、第２の延出部の端部のバンド側切り込み溝を垂直部に形成された突起部に装着し、さらにスライド環の環側切り込み溝を突起部に装着するようにスライド環を装着することから、第２の延出部の端部を垂直部にしっかりと固定できるものである。
【発明の効果】
【００１５】
本発明によれば、配管を保持するバンド部の第１の延出部に形成された突出固定部と、前記突出固定部に対応する第２の延出部に形成された装着溝部によって、配管を簡単に仮止めできると共に、第２の延出部の端部と吊下部の垂直部とをスライド環によってしっかりと固定できるため、配管を容易な手順で確実に固定できるものである。これによって、作業を簡略化することができると共に、狭い空間での配管の固定作業を容易にすることができるものである。
【図面の簡単な説明】
【００１６】
【図１】本発明の第１の実施例に係る配管吊りバンド機構の配管を装着した状態を示した説明図である。
【図２】本発明の第１の実施例に係る配管吊りバンド機構の配管を装着する前の状況を示した説明図である。
【図３】本発明の第１の実施例に係る配管吊りバンド機構の吊下部の近傍を部分拡大説明図であり、（ａ）はその正面図、（ｂ）はその側面図、（ｃ）はバンド部の第２の延出部端部の部分拡大説明図である。
【図４】本発明の第１の実施例に係る配管吊りバンド機構において、バンド部の第１の延出部端部とバンド部の第２の延出部端部との装着状態を説明した説明であり、（ａ），（ｂ）は、第１の延出部の突出固定部の大径頭部を第２の延出部の貫通孔に貫通させた状態を示した拡大正面図と、拡大側面図であり、（ｃ），（ｄ）は、吐出固定部を装着溝部の保持溝の水平溝部に装着した状態を示した拡大正面図と拡大側面図である。
【図５】本発明の第２の実施例に係る配管吊りバンド機構の吊下部と第２の延出部端部との装着状態を説明した説明図であり、（ａ１），（ａ２）は、第２の延出部端部の装着直前の状態を示した説明図であり、（ｂ１），（ｂ２）は、第２の延出部端部を吊下部の突起部に装着した状態を示した説明図であり、（ｃ１），（ｃ２）は、スライド環を装着した状態を示した説明図である。
【発明を実施するための形態】
【００１７】
以下、この発明の実施例について図面により説明する。
【実施例１】
【００１８】
図１乃至図３で示される本願発明の第１の実施例に係る配管吊りバンド機構１は、配管設置空間を形成する壁の一部から延出する吊りボルト２に配管３を固定するもので、前記吊りボルト２に固定される吊下部４と、この吊下部４に固定され、配管３を保持する帯状のバンド部５とによって少なくとも構成される。
【００１９】
前記吊下部４は、前記吊りボルト２にナット６によって固定される水平固定片４１と、この水平固定片４１の一端から垂直に延出する垂直部４２と、この垂直部４２から略水平に延出し、前記バンド部５が固定されるバンド固定部４３とによって構成される。
【００２０】
前記バンド部５は、前記バンド固定部４３に固定された箇所５１から所定の長さ一方の側に延出する第１の延出部５２と、前記固定された箇所５１から他方の側に延出し、前記配管３の周囲に囲設されて前記配管３を保持する第２の延出部５３とによって構成される。さらに、前記第１の延出部５２には、大径頭部７１と小径円筒部７２からなる突出固定部７０が設けられる。また、前記バンド部５の第２の延出部５３の端部５４は、前記吊下部４の垂直部４２に対応するように屈曲される。さらにまた、前記垂直部４２には、前記第２の延出部５３の端部を保持する突出部４４が設けられる。また、前記垂直部４２と前記第２の延出部５３の端部５４が、スライド環８によって固定保持される。
【００２１】
前記第２の延出部５３の前記突出固定部７０に対応する箇所には、前記突出固定部７０の大径頭部７１が貫通する大きさの貫通孔９１と、この貫通孔９１から延出する傾斜溝部９２及びこの傾斜溝部９２から前記バンド部５の延出方向に垂直に曲がる水平溝部９３からなり前記小径円筒部７２が通過する幅を有する装着溝部９４が形成され、前記突出固定部７０及び前記装着溝部９４とによってバンド固定機構９が形成される。
【００２２】
以上の構成の第１の実施例に係る配管吊りバンド機構１において、図４で示すように、バンド部５の第２の延出部５３によって、配管３を保持した後、第２の延出部５３の装着溝部９４の貫通孔９１に、前記第１の延出部５２の突出固定部７０の大径頭部７１を貫通させて突出固定部７０の小径円筒部７２を、前記装着溝部９４の前記傾斜溝部９２から前記水平溝部９３に移動させて、前記突出固定部７０を前記水平溝部９３に固定保持させるので、配管３を容易に仮止め固定できるものである。
【００２３】
その後、第２の延出部５３の端部５４を、前記垂直部４２の突出部４４の端部に当接させて保持し、スライド環８をスライドさせて固定するものである。これによって、配管３を容易に且つ確実に固定できるものである。
【実施例２】
【００２４】
実施例２に係る配管吊りバンド機構１は、前記バンド部５の第２の延出部５３の端部５４の固定方法が、実施例１と異なるものである。この実施例２において、図５で示すように、前記バンド部５の第２の延出部５３の端部５４は、前記吊下部４の垂直部４２に対応するように屈曲されると共に第２の延出部５３の端部５４にはバンド側切り込み溝５６が形成される。また、前記垂直部４２には、前記バンド側切り込み溝５６に噛合して固定する突起部４４Ａが形成される。前記垂直部４２と前記第２の延出部５３の端部５４を保持するスライド環８が設けられ、このスライド環８には前記突起部４４Ａが噛合する環側切り込み溝８１が形成される（図５（ａ１），（ａ２））。さらに、前記第２の延出部５３の端部５４の切り込み溝５６が前記突起部４４Ａに噛合した状態（図５（ｂ１），（ｂ２））で、前記スライド環８の環側切り込み溝８１が前記突起部４４Ａに噛合するようにスライド環８を移動させて、前記垂直部４２と前記第２の延出部５３の端部５４を固定保持するものである（図５（ｃ１），（ｃ２））。
【００２５】
これによって、第２の延出部５３の端部５４のバンド側切り込み溝５６を垂直部に形成された突起部４４Ａに装着し、さらにスライド環８の環側切り込み溝８１を突起部４４Ａに装着するようにスライド環８を装着することから、第２の延出部５３の端部５４を垂直部４２にしっかりと固定できるものである。
【００２６】
以上のように、配管３を保持するバンド部５の第１の延出部５２に形成された突出固定部７０と、前記突出固定部７０に対応する第２の延出部５３に形成された装着溝部９４によって、配管３を簡単に仮止めできると共に、第２の延出部５３の端部５４と吊下部４の垂直部４２とをスライド環８によってしっかりと固定できるため、配管３を容易な手順で確実に固定できるものである。さらに、これによって、作業を簡略化することができると共に、狭い空間での配管の固定作業を容易にすることができるものである。  
【符号の説明】
【００２７】
１  配管吊りバンド機構
２  吊りボルト
３  配管
４  吊下部
５  バンド部
６  ナット
８  スライド環
４１  水平固定片
４２  垂直部
４３  バンド固定部
４４  突出部
４４Ａ  突起部
５２  第１の延出部
５３  第２の延出部
５４  端部
５６  バンド側切り込み溝
７０  突出固定部
７１  大径頭部
７２  小径円筒部
８１  環側切り込み溝
９１  貫通孔
９２  傾斜溝部
９３  水平溝部
９４  装着溝部
【図１】
0006388206.tif 000002
【図２】
0006388206.tif 000003
【図３】
0006388206.tif 000004
【図４】
0006388206.tif 000005
【図５】
0006388206.tif 000006